【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
電源として装置の動作電力を供給する電池と、
光源と、
上記光源の発する光を用いて、入力される画像信号に応じた光像を形成し、形成した光像を投影対象に向けて投射する投影手段と、
上記投影手段による投影時間を入力する時間入力手段と、
上記時間入力手段で入力した投影時間と上記電池の残容量とを比較し、上記設定した使用時間だけ通常の投影動作を実行することができるか否かを判断する第１の判断手段と、
上記第１の判断手段の判断結果により上記光源の発光状態を調整する発光状態調整手段と
を具備したことを特徴とする投影装置。
【請求項２】
上記第１の判断手段が、上記設定した使用時間だけ通常の投影動作を実行することができないと判断した場合、上記設定した使用時間は、上記発光状態調整手段が上記光源の発光状態を調整することで、上記設定した使用時間だけの投影動作が可能となる範囲内であるか否かを判断する第２の判断手段をさらに具備し、
上記第２の判断手段が、上記設定した使用時間は、上記設定した使用時間だけの投影動作が可能となる範囲内であると判断した場合、上記発光状態調整手段が、上記電池の残容量に応じて上記光源の発光状態を調整し、残りの使用時間がなくなるか、または上記電池の残容量がなくなった時点で投影動作を終了する
ことを特徴とする請求項１記載の投影装置。
【請求項３】
上記第２の判断手段が、上記設定した使用時間は、上記時間入力手段で入力した投影時間が上記発光状態調整手段による上記光源の発光状態の調整範囲を超えていると判断した場合に、入力した投影時間での投影動作が不可能であることを警告する警告手段をさらに具備したことを特徴とする請求項２記載の投影装置。
【請求項４】
上記第１の判断手段が、上記設定した使用時間だけ通常の投影動作を実行することができると判断した場合、
上記発光状態調整手段は、上記光源の発光輝度を調整することなく、通常の投影動作を維持し、残りの使用時間がなくなるか、または上記電池の残容量がなくなった時点で投影動作を終了する
ことを特徴とする請求項１乃至３のいずれか一項記載の投影装置。
【請求項５】
上記投影手段での投影経過時間を計測する計時手段と、
上記計時手段で計測する投影経過時間に応じた時間情報を上記投影手段で投影する光像中に重畳させる投影制御手段と
をさらに具備したことを特徴とする請求項１乃至４のいずれか一項記載の投影装置。
【請求項６】
上記発光状態調整手段は、上記光源の発光状態を調整して上記投影手段による投影動作を実行している際に、上記時間入力手段による投影時間の再入力を受付け、受付けた投影時間とその時点の上記電池の残容量とにより上記光源の発光状態を再度調整することを特徴とする請求項１乃至５のいずれか一項記載の投影装置。
【請求項７】
電源として装置の動作電力を供給する電池と、
画像を表示する表示手段と、
与えられる画像信号に基づいて上記表示手段を駆動する表示駆動手段と、
上記表示手段による表示時間を入力する時間入力手段と、
上記時間入力手段で入力した表示時間と上記電池の残容量とを比較し、上記設定した表示時間だけ通常の投影動作を実行することができるか否かを判断する第１の判断手段と、
上記第１の判断手段の判断結果により上記表示駆動手段による上記表示手段の駆動状態を調整する駆動状態調整手段と
を具備したことを特徴とする表示装置。
【請求項８】
電源として装置の動作電力を供給する電池と、光源と、上記光源の発する光を用いて、入力される画像信号に応じた光像を形成し、形成した光像を投影対象に向けて投射する投影部とを備えた投影装置での投影方法であって、
上記投影部による投影時間を入力する時間入力工程と、
上記時間入力工程で入力した投影時間と上記電池の残容量とを比較し、上記設定した使用時間だけ通常の投影動作を実行することができるか否かを判断する第１の判断工程と、
上記第１の判断工程の判断結果により上記光源の発光状態を調整する発光状態調整工程を有したことを特徴とする投影方法。
【請求項９】
電源として装置の動作電力を供給する電池と、光源と、上記光源の発する光を用いて、入力される画像信号に応じた光像を形成し、形成した光像を投影対象に向けて投射する投影部とを備えた投影装置が内蔵するコンピュータが実行するプログラムであって、
上記投影部による投影時間を入力する時間入力ステップと、
上記時間入力ステップで入力した投影時間と上記電池の残容量とを比較し、上記設定した使用時間だけ通常の投影動作を実行することができるか否かを判断する第１の判断ステップと、
上記第１の判断工程の判断ステップにより上記光源の発光状態を調整する発光状態調整ステップと
をコンピュータに実行させることを特徴とするプログラム。
【手続補正２】
【補正対象書類名】明細書
【補正対象項目名】０００６
【補正方法】変更
【補正の内容】
【０００６】
請求項１記載の発明は、投影装置であって、電源として装置の動作電力を供給する電池と、光源と、上記光源の発する光を用いて、入力される画像信号に応じた光像を形成し、形成した光像を投影対象に向けて投射する投影手段と、上記投影手段による投影時間を入力する時間入力手段と、上記時間入力手段で入力した投影時間と上記電池の残容量とを比較し、上記設定した使用時間だけ通常の投影動作を実行することができるか否かを判断する第１の判断手段と、上記第１の判断手段の判断結果により上記光源の発光状態を調整する発光状態調整手段とを具備したことを特徴とする。
請求項２記載の発明は、上記請求項１記載の発明において、上記第１の判断手段が、上記設定した使用時間だけ通常の投影動作を実行することができないと判断した場合、上記設定した使用時間は、上記発光状態調整手段が上記光源の発光状態を調整することで、上記設定した使用時間だけの投影動作が可能となる範囲内であるか否かを判断する第２の判断手段をさらに具備し、上記第２の判断手段が、上記設定した使用時間は、上記設定した使用時間だけの投影動作が可能となる範囲内であると判断した場合、上記発光状態調整手段が、上記電池の残容量に応じて上記光源の発光状態を調整し、残りの使用時間がなくなるか、または上記電池の残容量がなくなった時点で投影動作を終了することを特徴とする。
請求項３記載の発明は、上記請求項２記載の発明において、上記第２の判断手段が、上記設定した使用時間は、上記時間入力手段で入力した投影時間が上記発光状態調整手段による上記光源の発光状態の調整範囲を超えていると判断した場合に、入力した投影時間での投影動作が不可能であることを警告する警告手段をさらに具備したことを特徴とする。
請求項４記載の発明は、上記請求項１乃至３のいずれか一項記載の発明において、上記第１の判断手段が、上記設定した使用時間だけ通常の投影動作を実行することができると判断した場合、上記発光状態調整手段は、上記光源の発光輝度を調整することなく、通常の投影動作を維持し、残りの使用時間がなくなるか、または上記電池の残容量がなくなった時点で投影動作を終了することを特徴とする。
【手続補正３】
【補正対象書類名】明細書
【補正対象項目名】０００７
【補正方法】変更
【補正の内容】
【０００７】
請求項５記載の発明は、上記請求項１乃至４のいずれか一項記載の発明において、上記投影手段での投影経過時間を計測する計時手段と、上記計時手段で計測する投影経過時間に応じた時間情報を上記投影手段で投影する光像中に重畳させる投影制御手段とをさらに具備したことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項６記載の発明は、上記請求項１乃至５のいずれか一項記載の発明において、上記発光状態調整手段は、上記光源の発光状態を調整して上記投影手段による投影動作を実行している際に、上記時間入力手段による投影時間の再入力を受付け、受付けた投影時間とその時点の上記電池の残容量とにより上記光源の発光状態を再度調整することを特徴とする。
【手続補正６】
【補正対象書類名】明細書
【補正対象項目名】００１０
【補正方法】変更
【補正の内容】
【００１０】
請求項７記載の発明は、表示装置であって、電源として装置の動作電力を供給する電池と、画像を表示する表示手段と、与えられる画像信号に基づいて上記表示手段を駆動する表示駆動手段と、上記表示手段による表示時間を入力する時間入力手段と、上記時間入力手段で入力した表示時間と上記電池の残容量とを比較し、上記設定した表示時間だけ通常の投影動作を実行することができるか否かを判断する第１の判断手段と、上記第１の判断手段の判断結果により上記表示駆動手段による上記表示手段の駆動状態を調整する駆動状態調整手段とを具備したことを特徴とする。
【手続補正７】
【補正対象書類名】明細書
【補正対象項目名】００１１
【補正方法】変更
【補正の内容】
【００１１】
請求項８記載の発明は、電源として装置の動作電力を供給する電池と、光源と、上記光源の発する光を用いて、入力される画像信号に応じた光像を形成し、形成した光像を投影対象に向けて投射する投影部とを備えた投影装置での投影方法であって、上記投影部による投影時間を入力する時間入力工程と、上記時間入力工程で入力した投影時間と上記電池の残容量とを比較し、上記設定した使用時間だけ通常の投影動作を実行することができるか否かを判断する第１の判断工程と、上記第１の判断工程の判断結果により上記光源の発光状態を調整する発光状態調整工程を有したことを特徴とする。
【手続補正８】
【補正対象書類名】明細書
【補正対象項目名】００１２
【補正方法】変更
【補正の内容】
【００１２】
請求項９記載の発明は、電源として装置の動作電力を供給する電池と、光源と、上記光源の発する光を用いて、入力される画像信号に応じた光像を形成し、形成した光像を投影対象に向けて投射する投影部とを備えた投影装置が内蔵するコンピュータが実行するプログラムであって、上記投影部による投影時間を入力する時間入力ステップと、上記時間入力ステップで入力した投影時間と上記電池の残容量とを比較し、上記設定した使用時間だけ通常の投影動作を実行することができるか否かを判断する第１の判断ステップと、上記第１の判断工程の判断ステップにより上記光源の発光状態を調整する発光状態調整ステップとをコンピュータに実行させることを特徴とする。